(57)【要約】第１の収容スペース（１０４，１０６，１０７）にイオンを供給するための第１のイオン発生ユニット（１１０，１１０Ｂ）と、第１の収容スペース（１０４，１０６，１０７）の少なくとも底部または底部近傍に配置される第１の導電体（１２０）と、を備える冷蔵装置（１００，２００）が提供されるとともに、収納空間（１０３）にイオンを供給するイオン発生装置（１１００）であって、イオンを発生せるためのブラシ状電極（１１２）を有したイオン発生ユニット（１１０）と、前記イオンを前記収納空間へ吐き出すための吐き出し口（１１３Ｘ）と、を備え、前記ブラシ状電極と前記吐き出し口との間に、前記ブラシ状電極から外れた導電体を収容する収容領域（１１４）を設けた、イオン発生装置が提供される。
2018109989.tif 000002
【特許請求の範囲】
【請求項１】
第１の収容スペースにイオンを供給するための第１のイオン発生ユニットと、  前記第１の収容スペースの少なくとも底部または底部近傍に配置される第１の導電体と、を備える、冷蔵装置。
【請求項２】
前記第１のイオン発生ユニットからの前記イオンはファンを利用せずに前記第１の収容スペースに供給される、請求項１に記載の冷蔵装置。
【請求項３】
前記第１の収容スペース内に直接的に冷気が吹き込まず、前記第１の収容スペースを構成するケースを介して間接的に前記第１の収容スペース内が冷やされるように構成されている、請求項２に記載の冷蔵装置。
【請求項４】
前記第１の収容スペースの周囲または前記第１の収容スペースとは別に構成される第２の収容スペースが設けられ、  前記第２の収容スペースにイオンを供給するための第２のイオン発生ユニットをさらに備え、  前記第２のイオン発生ユニットからの前記イオンはファンを利用して前記第２の収容スペースに提供される、請求項２または３に記載の冷蔵装置。
【請求項５】
前記第１の収容スペースの上面または上面近傍に配置される第２の導電体をさらに備える、請求項１から４のいずれか１項に記載の冷蔵装置。
【請求項６】
前記第１の導電体が前記冷蔵装置の他の導電部材と導電接続されていない、請求項１から５のいずれか１項に記載の冷蔵装置。
【請求項７】
前記第１のイオン発生ユニットは、電源が接続される１次巻線と該電源の電圧を昇圧して放電電圧とする２次巻線とを備えた昇圧トランスを有し、  前記第１の導電体が前記２次巻線に接続される、請求項１から６のいずれか１項に記載の冷蔵装置。
【請求項８】
収納空間にイオンを供給するイオン発生装置であって、  イオンを発生せるためのブラシ状電極を有したイオン発生ユニットと、  前記イオンを前記収納空間へ吐き出すための吐き出し口と、を備え、  前記ブラシ状電極と前記吐き出し口との間に、前記ブラシ状電極から外れた導電体を収容する収容領域を設けた、イオン発生装置。
【請求項９】
前記ブラシ状電極と前記吐き出し口との間に、前記外れた導電体を付着させるための付着部が形成される、請求項８に記載のイオン発生装置。
【請求項１０】
前記ブラシ状電極と前記吐き出し口との間に、前記外れた導電体が前記収容領域の外へ流出することを妨げる部材を配置する、請求項８または９に記載のイオン発生装置。
【請求項１１】
前記収納空間に引き出し式の収納容器が配置され、前記収納容器を閉めた際に前記収納容器の一部が当接することで、前記凹部が振動可能なように構成されている、請求項８から１０のいずれか１項に記載のイオン発生装置。
【請求項１２】
前記ブラシ状電極は、略水平または略下方に向けて配置される、請求項８から１１のいずれか１項に記載のイオン発生装置。
【請求項１３】
請求項８から１２のいずれか１項に記載のイオン発生装置を搭載する収納庫。
【発明の詳細な説明】
【技術分野】
【０００１】  本発明は、食物や飲料などを収容する冷蔵装置の技術に関し、特にイオン発生ユニットを搭載する冷蔵装置に関する。あるいはブラシ状電極を有するイオン発生ユニットを有するイオン発生装置に関する。
【背景技術】
【０００２】  従来から、イオン発生ユニットおよびそれを備えた冷蔵庫が知られている。たとえば、特開２０１０−２８１５２６号公報（特許文献１）には、冷蔵庫が開示されている。特許文献１によると、貯蔵物を収納する貯蔵室と、冷気を生成する冷却器と、冷却器で生成された冷気が流通する冷気通路と、貯蔵室の壁面に開口して冷気通路を流通する冷気を貯蔵室に吐出する吐出口と、イオンを発生するイオン発生部を冷気通路内の吐出口近傍に配したイオン発生装置とを備える。【０００３】  また、特開２００２−５８７３１号公報（特許文献２）には、負イオンと正イオンが同時に発生することによって、活性種である過酸化水素Ｈ2Ｏ2又は水酸化ラジカル・ＯＨが生成すること、このＨ2Ｏ2または・ＯＨが極めて強力な活性を示すために浮遊細菌を除去できること、などが開示されている。【０００４】  また、特開２００４−２８４９８号公報（特許文献３）には、冷蔵庫が開示されている。より詳細には、特許文献３によると、強制通風冷却空気を導入して冷却させる直接冷却貯蔵室と、貯蔵室内に収納容器及びこの収納容器の収納容器カバーを配置し、前記収納容器内を間接冷却する間接冷却貯蔵室とを設けた冷蔵庫において、前記収納容器カバーに吐出口と吸込口とを穿設し、前記収納容器内の冷気を循環させる循環送風機と、マイナスイオン発生器とを、前記収納容器カバーの上面に設置し、前記循環送風機から吐出される空気を、吸湿・脱臭シートに直接吹き付けるようにする。【０００５】  さらに、ブラシ状電極を有するイオン発生装置も知られている。たとえば、国際公開第２０１５／１５１３０９号パンフレット（特許文献４）には、イオン発生装置および電気機器が開示されている。より詳細には、特許文献４によると、放電電極として針状電極を採用したイオン発生装置よりもイオンを効率良く発生できる、イオン発生装置を提供する。イオン発生装置は、誘導電極と、誘導電極との間でイオンを発生させるための放電電極とを備えている。放電電極は、複数の糸状の導電体と、導電体の根元を束ねる接合部とを有している。誘導電極は、導電体の根元側に配置されている。
【先行技術文献】
【特許文献】
【０００６】
【特許文献１】特開２０１０−２８１５２６号公報
【特許文献２】特開２００２−５８７３１号公報
【特許文献３】特開２００４−２８４９８号公報
【特許文献４】国際公開第２０１５／１５１３０９号パンフレット
【発明の概要】
【発明が解決しようとする課題】
【０００７】  貯蔵室の収容スペースが拡大傾向となる中で、収容スペース内に収容する食物や飲料などの収容位置に依らずに細菌を除去できる技術が求められている。本発明の一態様は、収容スペース内の収容物に対して偏らずに効率よく細菌を除去することが可能な冷蔵装置を提供することを目的とする。【０００８】  また、特許文献４に開示されるイオン発生装置において、ブラシ状電極を構成する導電体は、数μｍ〜数十μｍと細く、ブラシ状電極への通電によりブラシ先端部が開いたような形状となることから、通電及び断電によってブラシ状電極を構成する糸状の導電体が繰り返し撓り、長期間の使用によって糸状の導電体が外れる可能性がある。【０００９】  外れた導電体が放電電極間に付着するとイオンの発生に影響を及ぼすおそれがある。また、収納空間内に入り込むことも好ましくない。【００１０】  そこで、本発明の別の態様では、外れたブラシ状電極の導電体が所定の収容領域に収容されるイオン発生装置を提供することを目的とする。
【課題を解決するための手段】
【００１１】  この発明のある態様に従うと、第１の収容スペースにイオンを供給するための第１のイオン発生ユニットと、第１の収容スペースの少なくとも底部または底部近傍に配置される第１の導電体と、を備える冷蔵装置が提供される。【００１２】  好ましくは、第１のイオン発生ユニットからのイオンはファンを利用せずに第１の収容スペースに供給される。【００１３】  好ましくは、冷蔵装置は、第１の収容スペース内に直接的に冷気が吹き込まず、第１の収容スペースを構成するケースを介して間接的に第１の収容スペース内が冷やされるように構成されている。【００１４】  好ましくは、第１の収容スペースの周囲または第１の収容スペースとは別に構成される第２の収容スペースが設けられる。冷蔵装置は、第２の収容スペースにイオンを供給するための第２のイオン発生ユニットをさらに備える。第２のイオン発生ユニットからのイオンはファンを利用して第２の収容スペースに提供される。【００１５】  好ましくは、第１の収容スペースの上面または上面近傍に配置される第２の導電体をさらに備える。【００１６】  好ましくは、第１の導電体が冷蔵装置の他の導電部材と導電接続されていない。【００１７】  好ましくは、第１のイオン発生ユニットは、電源が接続される１次巻線と電源の電圧を昇圧して放電電圧とする２次巻線とを備えた昇圧トランスを有し、第１の導電体が２次巻線に接続される。【００１８】  この発明の別の態様に従うと、収納空間にイオンを供給するイオン発生装置が提供される。イオン発生装置は、イオンを発生せるためのブラシ状電極を有したイオン発生ユニットと、イオンを収納空間へ吐き出すための吐き出し口と、を備える。そして、ブラシ状電極と吐き出し口との間に、下方に向けて凹んだ凹部が形成されて、ブラシ状電極から外れた導電体（ブラシともいう。）を収容する。【００１９】  好ましくは、ブラシ状電極と吐き出し口との間に、ブラシ状電極から外れた導電体を付着させるための付着部が形成される。【００２０】  好ましくは、ブラシ状電極と吐き出し口との間に、外れた導電体が収納空間へ流出することを妨げる部材を配置する。【００２１】  好ましくは、収納空間に引き出し式の収納容器が配置される。収納容器を閉めた際に収納容器の一部が当接することで、凹部が振動可能なように構成されている。【００２２】  好ましくは、ブラシ状電極は、略水平または略下方に向けて配置される。【００２３】  この発明の別の態様に従うと、上記のイオン発生装置を搭載した収納庫が提供される。
【発明の効果】
【００２４】  このように、本発明の一態様によれば、収容スペース内の収容物に対して偏らずに効率よく細菌を除去することが可能な冷蔵装置が提供される。また、本発明の別の態様によれば、導電体が所定の収容領域に収容されるブラシ状電極を有するイオン発生装置が提供できるようになる。
【図面の簡単な説明】
【００２５】
【図１】第１の実施の形態にかかる冷蔵庫１００の全体的な正面図である。
【図２】第１および第８の実施の形態にかかる冷気ダクト１３１の側面図である。
【図３】第１の実施の形態にかかるチルドスペース１０４の近傍を示す側面断面図である。
【図４】第１の実施の形態にかかるチルドスペース１０４の平面図である。
【図５】第１の実施の形態にかかるイオン発生ユニット１１０の近傍を示す側面断面図である。
【図６】第１の実施の形態にかかるイオン発生ユニット１１０の内部構造を示す断面図である。
【図７】第１の実施の形態にかかるイオン発生ユニット１１０の回路図である。
【図８】第１の実施の形態にかかるチルドスペース１０４の正イオンと負イオンを示す側面図である。
【図９】第２の実施の形態にかかる第１の例のプレート１２０を配置したチルドスペース１０４の平面図である。
【図１０】第２の実施の形態にかかる第２の例のプレート１２０Ｙを配置したチルドスペース１０４の正イオンと負イオンを示す側面図である。
【図１１】第２の実施の形態にかかる第３の例のプレート１２２Ａ，１２２Ｂを配置したチルドスペース１０４の平面図である。
【図１２】第２の実施の形態にかかる第４の例の導電性の皿１２３Ａ，１２３Ｂを配置したチルドスペース１０４の平面図である。
【図１３】第３の実施の形態にかかる第１の例のプレート１２０Ｘを配置したチルドスペース１０４の正イオンと負イオンを示す側面図である。
【図１４】第３の実施の形態にかかる第２の例のプレート１２０Ｚを配置したチルドスペース１０４の正イオンと負イオンを示す側面図である。
【図１５】第３の実施の形態にかかる第３の例のプレート１２０，１２０Ｂを配置したチルドスペース１０４の正イオンと負イオンを示す側面図である。
【図１６】第３の実施の形態にかかる第４の例のプレート１２０，１２０Ｂ，１２０Ｃ，１２０Ｄを配置したチルドスペース１０４の正イオンと負イオンを示す側面図である。
【図１７】第４の実施の形態にかかる網状部材１２７を配置したチルドスペース１０４の平面図である。
【図１８】第５の実施の形態にかかるプレート１２０を配置したチルドスペース１０４の正イオンと負イオンを示す側面図である。
【図１９】第６の実施の形態の第１の例にかかるチルドスペース１０４の近傍を示す側面断面図である。
【図２０】第６の実施の形態の第２の例にかかるチルドスペース１０４の近傍を示す側面断面図である。
【図２１】第６の実施の形態の第３の例にかかるチルドスペース１０４の近傍を示す側面断面図である。
【図２２】第７の実施の形態にかかる野菜収容スペース１０６や果物収容スペース１０７の近傍を示す側面断面図である。
【図２３】第７の実施の形態にかかるメイン冷蔵スペース１０３内を示す正面断面図である。
【図２４】第８の実施の形態にかかる冷気ダクト１３１の背面図である。
【図２５】第９の実施の形態にかかる貯蔵室２００を示すイメージ図である。
【図２６】通常のチルドスペースの正イオンと負イオンを示す側面図である。
【図２７】第１０の実施の形態の冷蔵庫１００を示す外観斜視図である。
【図２８】第１０の実施の形態の冷蔵庫１００の食品収納空間１０３を示す正面図である。
【図２９】第１０の実施の形態にかかるイオン発生装置１１００と引き出し１０９とを示す側面断面拡大図である。
【図３０】第１０の実施の形態にかかるイオン発生装置１１００の近傍を示す側面断面拡大図である。
【図３１】第１１の実施の形態にかかるイオン発生装置１１００の近傍を示す側面断面拡大図である。
【図３２】第１２の実施の形態にかかるイオン発生装置１１００の近傍を示す側面断面拡大図である。
【図３３】第１３の実施の形態にかかる第１のイオン発生装置１１００の近傍を示す側面断面拡大図である。
【図３４】第１３の実施の形態にかかる第２のイオン発生装置１１００の近傍を示す側面断面拡大図である。
【図３５】第１３の実施の形態にかかる第３のイオン発生装置１１００の近傍を示す側面断面拡大図である。
【図３６】第１４の実施の形態にかかるイオン発生装置１１００の近傍を示す側面断面拡大図である。
【図３７】第１５の実施の形態にかかる第１のイオン発生装置１１００の近傍を示す側面断面拡大図である。
【図３８】第１５の実施の形態にかかる第２のイオン発生装置１１００の近傍を示す側面断面拡大図である。
【図３９】第１６の実施の形態にかかる第１のイオン発生装置１１００の近傍を示す側面断面拡大図である。
【図４０】第１６の実施の形態にかかる第２のイオン発生装置１１００の近傍を示す側面断面拡大図である。
【図４１】第１６の実施の形態にかかる第３のイオン発生装置１１００の近傍を示す側面断面拡大図である。
【図４２】第１７の実施の形態にかかるイオン発生装置１１００の近傍を示す側面断面拡大図である。
【図４３】第１８の実施の形態にかかるイオン発生装置１１００の近傍を示す側面断面拡大図である。
【発明を実施するための形態】
【００２６】  以下、図面を参照しつつ、本発明の各実施形態について説明する。以下の説明では、同一の部品には同一の符号を付してある。それらの名称および機能も同じである。したがって、それらについての詳細な説明は繰り返さない。  ［第１の実施の形態］
【００２７】  図１は、本実施の形態にかかる冷蔵庫１００の全体的な正面図である。本実施の形態にかかるイオン発生ユニット１１０は、たとえば、図１に示すような冷蔵装置の一例としての冷蔵庫１００に搭載される。なお、冷蔵装置は、キッチンなどの引き出しや、タンスや、クローゼットなどの冷却を伴わない収納庫であってもよい。
【００２８】  冷蔵庫１００は、たとえば、本体１０１と扉１０２Ｌ，１０２Ｒなどから構成される。そして、本体１０１の内部は、メイン冷蔵スペース１０３、冷凍スペース１０５、野菜収容スペース１０６、果物収容スペース１０７、貯氷スペース１０８などを含む。本実施の形態においては、メイン冷蔵スペース１０３内にチルドスペース１０４が設けられ、当該チルドスペース１０４には、当該チルドスペース１０４用のイオン発生ユニット１１０が取り付けられている。
【００２９】  図２は、本実施の形態にかかる冷気ダクト１３１の側面図である。図３は、本実施の形態にかかるチルドスペース１０４の近傍を示す側面断面図である。図３を参照して、本実施の形態にかかるチルドスペース１０４は、主に、メイン冷蔵スペース１０３の内壁に取り付けられる上ケース１０４Ｂと、メイン冷蔵スペース１０３や上ケース１０４Ｂに対して前後方向に摺動可能な下ケース１０４Ａとによって形成される。
【００３０】  チルドスペース１０４の後方には、図２に示すように冷気ダクト１３１が設けられ、冷気ダクト１３１に流通する冷気の一部が、吐出口１３３から下ケース１０４Ａや上ケース１０４Ｂの外壁に沿って流通し、チルドスペース１０４内を間接的に冷却する。このため、チルドスペース１０４内の飲食物に冷気の風が直接当たることを防止でき、飲食物を乾燥させずに冷却することができる。
【００３１】  上ケース１０４Ｂの後方には、イオン発生ユニット１１０が配置される。そして、上ケース１０４Ｂの背面には、開口部１０４Ｘが設けられて、当該開口部１０４Ｘを通ってイオン発生ユニット１１０で発生した正イオンおよび負イオンがチルドスペース１０４に流れ込んでくる。
【００３２】  図４は、本実施の形態にかかるチルドスペース１０４の平面図である。図４を参照して、下ケース１０４Ａの内側の底面には、導電性のプレート１２０が配置される。後述するように、導電性のプレート１２０によって、イオン発生ユニット１１０で発生した正イオンおよび負イオンが偏る程度を和らげることができる。
【００３３】  図５は、本実施の形態にかかるイオン発生ユニット１１０の近傍を示す側面断面図である。本実施の形態にかかるイオン発生ユニット１１０は、冷蔵庫１００の内壁に構成される設置スペース１１３に取り付けられる。設置スペース１１３の前部の周囲は、パッキン１１８を介して上ケース１０４Ｂにつながっている。本実施の形態においては、イオン発生ユニット１１０がブラシ状の放電電極１，２を有し、ブラシ状の放電電極１，２の近傍において高濃度のイオンが生成される。放電電極１，２の前方には、スリット１１５０が配置されて、イオン発生ユニット１１０とチルドスペース１０４との間で物品が相互に入り込まないようにしている。
【００３４】  ここで、本実施の形態にかかるイオン発生ユニット１１０の構造について説明する。図６は、本実施の形態にかかるイオン発生ユニット１１０の内部構造を示す図である。イオン発生ユニット１１０は、２本の放電電極１，２と、環状の誘導電極３，４と、２枚の長方形状のプリント基板５，６とを備えている。誘導電極３は、放電電極１との間に電界を形成するための電極である。誘導電極４は、放電電極２との間に電界を形成するための電極である。放電電極１は、誘導電極３との間で、負イオンを発生するための電極である。放電電極２は、誘導電極４との間で、正イオンを発生するための電極である。 
【００３５】  プリント基板５，６は、所定の間隔を開けて平行に配置されている。誘導電極３は、プリント基板５の長手方向の一方端部の表面に、プリント基板５の配線層を用いて形成されている。誘導電極３の内側には、プリント基板５を貫通する孔５ａが開口されている。誘導電極４は、プリント基板５の長手方向の他方端部の表面に、プリント基板５の配線層を用いて形成されている。誘導電極４の内側には、プリント基板５を貫通する孔５ｂが開口されている。
【００３６】  放電電極１，２の各々は、プリント基板５，６に対して垂直に設けられている。放電電極１の基端部はプリント基板６の孔に挿嵌されており、他端はプリント基板５の孔５ａの中心を貫通している。放電電極２の基端部はプリント基板６の孔に挿嵌されており、他端はプリント基板５の孔５ｂの中心を貫通している。放電電極１，２の各々の基端部は、半田によってプリント基板６に固定されている。 
【００３７】  誘導電極３，４は、プリント基板５に形成されており、放電電極１，２は、プリント基板５とは別の、プリント基板６に固定されている。そのため、プリント基板５，６上に塵埃が堆積した状態でイオン発生装置が高湿度環境下におかれた場合でも、放電電極１，２と誘導電極３，４との間の電流のリークを抑制でき、イオンを安定して発生することが可能である。
【００３８】  放電電極１，２の各々の先端部は、ブラシ状に形成されている。放電電極１は、その先端部に設けられた複数の糸状の導電体７と、複数の導電体７の根元を束ねる接合部７ａとを有している。放電電極２は、その先端部に設けられた複数の糸状の導電体８と、複数の導電体８の根元を束ねる接合部８ａとを有している。
【００３９】  図７は、本実施の形態にかかるイオン発生ユニット１１０の回路図である。図７を参照して、イオン発生ユニット１１０は、放電電極１，２および誘導電極３，４の他に、電源端子Ｔ１、接地端子Ｔ２、ダイオード３２，３３および昇圧トランス３１を備えている。電源端子Ｔ１および接地端子Ｔ２には、それぞれ直流電源の正極および負極が接続されている。電源端子Ｔ１には直流電源電圧（たとえば＋１２Ｖまたは＋１５Ｖ）が印加され、接地端子Ｔ２は接地されている。電源端子Ｔ１および接地端子Ｔ２は、電源回路３０を介して、昇圧トランス３１に接続されている。 
【００４０】  昇圧トランス３１は、１次巻線３１ａおよび２次巻線３１ｂを含んでいる。２次巻線３１ｂの一方端子は誘導電極３，４に接続されており、他方端子はダイオード３２のカソードおよびダイオード３３のアノードに接続されている。ダイオード３２のアノードは放電電極１の基端部に接続されており、ダイオード３３のカソードは放電電極２の基端部に接続されている。
【００４１】  図６および図７を参照して、イオン発生ユニット１１０の動作について説明する。電源端子Ｔ１および接地端子Ｔ２間に直流電源電圧が印加されると、電源回路３０が有しているコンデンサ（不図示）に電荷が充電される。コンデンサに充電された電荷は、昇圧トランス３１の１次巻線３１ａを介して放電され、１次巻線３１ａにはインパルス電圧が発生する。
【００４２】  １次巻線３１ａにインパルス電圧が発生すると、２次巻線３１ｂに正および負の高電圧パルスが交互に減衰しながら発生する。負の高電圧パルスはダイオード３２を介して放電電極１に印加され、正の高電圧パルスはダイオード３３を介して放電電極２に印加される。これにより、放電電極１，２の先端の導電体７，８でコロナ放電が発生し、それぞれ負イオンおよび正イオンを発生する。
【００４３】  なお、正イオンは、水素イオン（Ｈ<＋>）の周囲に複数の水分子がクラスター化したクラスターイオンであり、Ｈ<＋>（Ｈ２Ｏ）ｍ（ｍは０以上の任意の整数）と表わされる。負イオンは、酸素イオン（Ｏ２<−>）の周囲に複数の水分子がクラスター化したクラスターイオンであり、Ｏ２<−>（Ｈ２Ｏ）ｎ（ｎは０以上の任意の整数）と表わされる。また、正イオンおよび負イオンを室内に放出すると、両イオンが空気中を浮遊する菌やウィルスの周りを取り囲み、その表面上で互いに化学反応を起こす。その際に生成される活性種の水酸化ラジカル（・ＯＨ）の作用により、浮遊菌などが除去される。
【００４４】  なお、本実施の形態においては、ブラシ状の放電電極１，２の先端部を構成する複数の糸状の導電体７および８はそれぞれにおいて、互いの電気的な反発および誘導電極３，４への電気的な引寄せによって外側に曲げ変形するように構成されており、導電体７および８の先端が存在している領域の面積が大きくなっている。つまり、イオンを発生する領域の面積が大きくなり、針状の放電電極と比較して、同じ電圧を印加したときのイオン発生量が増える。
【００４５】  本実施の形態にかかる冷蔵庫１００やイオン発生ユニット１１０には、チルドスペース１０４にイオンを送出するためのファンを搭載していない。これによって、チルドスペース１０４内の飲食物に風が吹き付けられないので飲食物の乾燥を抑制することができる。その一方で、放電電極１，２の先端の導電体７，８で発生した正イオンおよび負イオンが、ファンの風力でチルドスペース１０４に送出されないため、チルドスペース１０４内の広範囲にわたって正イオンと負イオンの両イオンを均一に届かせることが難しい。
【００４６】  しかしながら、本実施の形態にかかるチルドスペース１０４では、導電性のプレート１２０の電位変動によって、図８に示すように、正イオンと負イオンとが偏りにくくなる。その結果、効率的に、細菌を除去したり不活性化させたりすることが可能になる。
【００４７】  より詳細には、図２６に示すように、通常の冷蔵庫内においては、正や負のクラスターイオンが自然対流等によって拡散した場合、壁面材質の帯電状態により、クーロンの法則に従ってクラスターイオンと壁面との間に引斥力が起こる。壁面材質は通常、樹脂などの電気的に絶縁性の物質を使用することが多く、壁面内での電荷の移動がほとんど起こらないため、壁面の箇所毎に帯電状態が異なり、その結果、正イオンと負イオンとの壁面の箇所毎でのバランスが欠如して、除菌能力が低下する。しかしながら、本実施の形態においては、導電性のプレート１２０をチルドスペース１０４の底部に配置しているので、導電性のプレート１２０を配置した底部は、箇所毎の帯電状態に依らず底部の電位を同一にすることができる。したがって、底部での局所的な正イオンと負イオンとのアンバランスを是正する。
【００４８】  本実施の形態では、さらに、チルドスペース１０４内の底部近傍での全体的な正イオンと負イオンとのアンバランスをも是正する。すなわち、仮に、チルドスペース１０４内の底部近傍に正イオンが多く存在した場合は、導電性のプレート１２０に正イオンが多く取り込まれて、導電性のプレート１２０が正に帯電する。導電性のプレート１２０が正に帯電すると負イオンに対する引力が増加するとともに、正イオンに対しては斥力が増加する。したがって、チルドスペース１０４内の底部近傍には負イオンが多く引き寄せられる。また、チルドスペース１０４内の底部近傍に負イオンが多く存在した場合は、導電性のプレート１２０に負イオンが多く取り込まれて、導電性のプレート１２０が負に帯電する。導電性のプレート１２０が負に帯電すると正イオンに対する引力が増加するとともに、負イオンに対しては斥力が増加する。
【００４９】  従って、導電性のプレート１２０の近傍において正イオンや負イオンがバランスよく存在しやすくなり、正イオンと負イオンとの反応による細菌を除去や不活性化を効率的に行うことができる。
【００５０】  さらには、上ケース１０４Ａや下ケース１０４Ｂが、顔料、たとえば酸化チタンやカーボンなど、を含まないか、それらが少ないことが好ましい。すなわち、チルドスペース１０４自体やチルドスペース１０４の近傍の部材が、電気的に中性になりやすく、分子構造に起因する極性を持たないことが好ましい。これにより、導電性のプレート１２０を配していない上ケース１０４Ａや下ケース１０４Ｂの側壁近傍での正イオンと負イオンとのアンバランスを抑制することができる。  ［第２の実施の形態］
【００５１】  第１の実施の形態においては、導電性のプレート１２０を、チルドの下ケース１０４Ａの底面全体に配置するものであった。しかしながら、このような構成には限られない。たとえば、図９に示すように、プレート１２０は、チルドスペース１０４の底面の前部側に配置されるものであってもよい。また、図１０に示すように、導電性のプレート１２０Ｙは、チルドスペース１０４の前面に配置してもよい。
【００５２】  イオン発生ユニット１１０から遠いエリアにはイオンが届きにくいため、イオン量が少なくなる傾向がある。そこで、イオン発生ユニット１１０から遠いエリアに導電性のプレートを配置することで正イオンと負イオンとのアンバランスを是正できるため、少ないイオン量であっても効率的に細菌を除去したり不活性化させたりすることが可能になる。一方で、イオン発生ユニット１１０に近いエリアではイオン量が充分にあるため、正イオンと負イオンとのアンバランスが起きても、細菌を除去したり不活性化させたりするのに充分な正イオンと負イオンとの両イオンが供給される。従って、第１の実施の形態に比べて導電性のプレート１２０の使用量を少なくできる。
【００５３】  あるいは、図１１に示すように、チルドの下ケース１０４Ａに２枚の導電性のプレート１２２Ａ，１２２Ｂを並べて配置してもよい。なお、チルドスペース１０４の大きさに合わせて、複数の導電性のプレート１２２Ａ，１２２Ｂ・・・を並べて配置してもよいし、複数の導電性のプレート１２２Ａ，１２２Ｂ・・・を重ねて配置してもよい。
【００５４】  あるいは、図１２に示すように、チルドスペース１０４に１または複数の導電性の皿１２３Ａ，１２３Ｂ・・・などを配置してもよい。これによって、皿１２３Ａ，１２３Ｂ・・・上に配置される飲食物の周囲の正イオンと負イオンのバランスを保ちやすくできる。
【００５５】  このように、導電性のプレートとして大きな一枚板でなくてもよいので、コストを下げられる。また、導電性のプレートごと食品を取り出す場合や、導電性のプレートが汚れたり破損したりしたときに導電性プレートを取り外したい場合であっても、チルドスペース１０４内の全ての食品を取り出す必要がない。  ［第３の実施の形態］
【００５６】  さらにたとえば、図１３に示すように、導電性のプレート１２０Ｘは、下ケース１０４Ａの底面と前面の下部をカバーする側面視Ｌ字状であってもよい。さらに、図１４に示すように、導電性のプレート１２０Ｚは、下ケース１０４Ａの底面と前面の下部と背面の下部とをカバーする側面視Ｕ字状であってもよい。
【００５７】  あるいは、図１５に示すように、チルドスペース１０４の底面と上面のそれぞれに導電性のプレート１２０，１２０Ｂを配置してもよい。これによって、チルドスペース１０４の全域にわたって正イオンと負イオンのバランスを保ちやすくできる。
【００５８】  さらには、図１６に示すように、チルドスペース１０４の底面と上面と側面のそれぞれに導電性のプレート１２０，１２０Ｂ，１２０Ｃ，１２０Ｄを配置してもよい。これによって、チルドスペース１０４の全域にわたって正イオンと負イオンのバランスを保ちやすくできる。
【００５９】  以上のように、本実施の形態においては、第１の実施の形態に比べて、チルドスペース１０４内の高さ方向に貯蔵された食品に対しても正イオンと負イオンのバランスを保つことができる、という効果が生じる。  ［第４の実施の形態］
【００６０】  第１〜第３の実施の形態においては、チルドスペース１０４に導電性のプレート１２０を有するものであった。しかしながら、このような構成には限られない。たとえば、図１７に示すように、チルドスペース１０４内に導電性の網状部材１２７を配置するものであってもよい。また、導電性のスリット状部材としてもよい。さらに、導電性膜をチルドスペース１０４を形成する面に配置してもよい。  ［第５の実施の形態］
【００６１】  また、図１８に示すように、導電性のプレート１２０や網状部材１２７を、イオン発生ユニット１１０の２次巻線側に電気的に接続してもよい。より詳細には、導電性のプレート１２０や網状部材１２７等をコネクタ１１９などを介して、イオン発生ユニット１１０の誘導電極３，４等の、２次側の中間電位に電気的に接続する。これによって、導電性のプレート１２０や網状部材１２７の電位を、発生するイオンに対して中間電位に安定させることができる。したがって、チルドスペース１０４内の電界が安定し、広い領域にわたって正イオンと負イオンのバランスを保ちやすくできる。
【００６２】  なお、導電性のプレート１２０や網状部材１２７は、冷蔵庫１００の接地電位とすることが好ましい。また、扉１０２Ｌ，１０２Ｒが開放とされた場合は、導電性のプレート１２０や網状部材１２７とイオン発生ユニット１１０の２次巻線側との電気的接続を切断することが好ましい。このとき、イオン発生ユニット１１０の駆動も停止することがさらに好ましい。これにより、使用者が導電性のプレート１２０や網状部材１２７に触れて感電する可能性を排除できる。  ［第６の実施の形態］
【００６３】  第１〜第５の実施の形態においては、チルドスペース１０４内に導電性のプレート１２０を有するものであった。しかしながら、このような構成には限られない。図１９に示すように、チルドスペース１０４の外に、たとえばメイン冷蔵スペース１０３内のチルドの下ケース１０４Ａの底面に対向する位置に、導電性のプレート１２４Ｘを配置してもよい。
【００６４】  あるいは、図２０に示すように、チルドの下ケース１０４Ｙの一部たとえば底面や前面や、上ケース１０４Ｂの一部などを導電性のプレート１２４Ｙで構成してもよい。
【００６５】  あるいは、図２１に示すように、チルドの下ケース１０４Ｚまたは上ケース１０４Ｂに、導電性の材料を混ぜ込んで成型してもよい。  ［第７の実施の形態］
【００６６】  第１〜第６の実施の形態においては、チルドスペース１０４内に導電性のプレート１２０を有するものであった。しかしながら、このような構成には限られない。図２２に示すように、冷気を直接的に流さないことが好ましい野菜収容スペース１０６や果物収容スペース１０７にイオンを供給するためのイオン発生ユニット１１０Ｂを配置してもよい。イオン発生ユニット１１０Ｂもファンを使用せずに、正イオンと負イオンとを野菜収容スペース１０６や果物収容スペース１０７に供給する。この場合は、野菜収容スペース１０６や果物収容スペース１０７に導電性のプレート１２０などを配置することが好ましい。
【００６７】  なお当然に、野菜ケースや果物ケースの位置は図１に示すような形態に限られず、たとえば図２３に示すように、野菜収容スペース１０６や果物収容スペース１０７がメイン冷蔵スペース１０３内に設けられてもよい。  ［第８の実施の形態］
【００６８】  そして、より好ましくは、図１に示すメイン冷蔵スペース１０３や冷凍スペース１０５や貯氷スペース１０８にもイオンを供給してもよい。当該エリアには、ファンを利用して冷気とともに正イオンと負イオンとを吹き込んでもよい。図２および図２４を参照して、より詳細に説明する。なお、図２４は、本実施の形態にかかる冷気ダクト１３１の背面図である。
【００６９】  本実施の形態においては、ファン１３２によって流れる主な冷気の通り道の途中、たとえば冷気ダクト１３１の下部など、にイオン発生ユニット１１０Ｃが配置される。これによって、メイン冷蔵スペース１０３や冷凍スペース１０５には、ファン１３２による送風によって、冷気と正イオンと負イオンとが吐出口１３１Ｘから吹き込まれる。一方で、チルドスペース１０４や野菜収容スペース１０６や果物収容スペース１０７に関しては、冷気が直接的に吹き込まず、すなわち間接的に冷やしながら、正イオンと負イオンとがバランスよく供給される。  ［第９の実施の形態］
【００７０】  第１〜第８の実施の形態においては、冷蔵装置として、家庭用の冷蔵庫１００を例に挙げて説明を行った。しかしながら、本発明は、このような構成には限られない。たとえば、図２５に示すように、人が入れる程度の大きさの貯蔵庫にも第１から第８の実施の形態の技術は利用可能である。
【００７１】  より詳細には、貯蔵物が載置される棚２５１，２５１・・・に、導電性のプレート１２５，１２５・・・や網状部材１２７が載置されてもよい。これによって、イオン発生装置２１０から供給される正イオンと負イオンとが棚２５１，２５１・・・の周囲でバランスよく存在することが可能になる。
【００７２】  貯蔵庫は、他にも、キッチンなどの引き出しや、タンスや、クローゼットであってもよい。  ［第１０の実施の形態］
【００７３】  上記の実施の形態におけるイオン発生ユニット１１０に関しては、以下に説明するように、その周囲の構成と組み合わせることによって、導電体が所定の収容領域に収容されるイオン発生装置１１００を実現することができる。以下では説明のために、第１から第９の実施の形態におけるイオン発生ユニット１１０本体をイオン発生ユニット１１０と言い、イオン発生ユニット１１０本体とその周囲の構成を合わせたシステムをイオン発生装置１１００という。
【００７４】  本実施の形態にかかるイオン発生装置１１００は、たとえば、図２７に示すような収納庫の一例としての冷蔵庫１００に搭載される。なお、収納庫は、キッチンなどの引き出しや、電子レンジや、タンスや、クローゼットであってもよい。冷蔵庫１００などの収納庫は、通常、本体１０１と扉１０２とを有する。
【００７５】  イオン発生装置１１００は、図２８に示すような冷蔵庫１００の食品収納空間１０３に配置される。たとえば、イオン発生装置１１００は、食品収納空間１０３の背面やチルドケース（チルドスペース）１０４の背面や果物ケース（果物スペース）１０７の背面や野菜ケース（野菜スペース）１０６の背面などに配置され、食品収納空間１０３内やチルドケース１０４内や果物ケース１０７内や野菜ケース１０６内にイオンを供給する。
【００７６】  図２９は、本実施の形態にかかるイオン発生装置１１００と引き出し１０９とを示す側面断面図である。図３０は、本実施の形態にかかるイオン発生装置１１００の近傍を示す側面断面拡大図である。本実施の形態にかかるイオン発生装置１１００は、図２９および図３０に示すように、主に、設置スペース１１３と、イオン発生ユニット１１０と、凹部１１４とから構成される。イオン発生ユニット１１０は、ブラシ状電極１１２を有する。
【００７７】  設置スペース１１３は、たとえば、冷蔵庫１００の食品収納空間１０３の背面に形成される。設置スペース１１３の食品収納空間１０３側の端部は、ブラシ状電極１１２にて発生したイオンの吐き出し口１１３Ｘとなる。
【００７８】  イオン発生ユニット１１０は、設置スペース１１３の奥に配置される。イオン発生ユニット１１０は、放電電極であるブラシ状電極１１２や不図示の誘導電極や回路基板などを有する。ブラシ状電極１１２と誘導電極との間でイオンが発生する。発生したイオンは拡散によって吐き出し口１１３Ｘから食品収納空間１０３に吐き出される。
【００７９】  なお、イオン発生ユニット１１０の構成は特に限定されるものではなく、たとえば特許文献２に記載の構成などが採用される。すなわち、ブラシ状電極１１２は、その先端の複数の糸状の導電体（単にブラシともいう。）と、複数の導電体の根元を束ねる接合部とを有する。導電体は、たとえば、金属、カーボン繊維から構成され、外径は５μｍ以上３０μｍ以下が好ましい。また、導電体は、結合部から３ｍｍ以上突出することが好ましい。
【００８０】  設置スペース１１３の吐き出し口１１３Ｘとイオン発生ユニット１１０との間には、下方に向けて凹部１１４が形成されている。なお、凹部１１４の深さＨは、糸状の導電体の長さよりも長いことが好ましい。たとえば、凹部１１４は、３〜４ｍｍよりも深いことが好ましい。
【００８１】  これによって、仮に、ブラシ状電極１１２から導電体が抜けても、収容領域である凹部１１４に落下することになる。すなわち、所定の収容領域内に導電体を収容することができる。  ［第１１の実施の形態］
【００８２】  本実施の形態においては、図３１に示すように、第１０の実施の形態のイオン発生装置１１００に加えて、吐き出し口１１３Ｘとブラシ状電極１１２との間に、ブラシ通過防止部１１５を設ける。ブラシ通過防止部１１５は、メッシュや網やスリットなどから構成される。ブラシ通過防止部１１５は吐き出し口１１３Ｘの近傍に設けることが好ましい。これにより、ブラシ状電極１１２に利用者が不用意に触れることをブラシ通過防止部１１５によって防止することができる。
【００８３】  ブラシ通過防止部１１５の隙間の大きさは、導電体の長さよりも短く、イオンが通り抜け易いサイズであることが好ましい。たとえば、数ｍｍ程度であることが好ましく、４ｍｍ以下２ｍｍ以上であればさらに好ましい。
【００８４】  これによって、仮にブラシ状電極１１２から導電体が抜けても、ブラシ通過防止部１１５によって、所定の収容領域の外へ導電体が移動する可能性をさらに低減することができる。  ［第１２の実施の形態］
【００８５】  本実施の形態においては、図３２に示すように、第１０または第１１の実施の形態のイオン発生装置１１００に加えて、吐き出し口１１３Ｘの近傍に、ブラシ付着部１１６を設ける。ブラシ付着部１１６は、表面がマジックテープ（登録商標）等の起毛面や粘着テープ等の粘着面などで構成される。
【００８６】  なお、導電体が金属の仕様の場合には、設置スペース１１３の表面やその内部に磁石を配置するものであってもよい。あるいは、導電体が電荷をおびている可能性が高い仕様の場合には、設置スペース１１３の底面に電荷をかけるものであってもよい。
【００８７】  これによって、仮にブラシ状電極１１２から導電体が抜けても、ブラシ付着部１１６によって、所定の収容領域の外へ導電体が移動する可能性をさらに低減することができる。
【００８８】  なお、ブラシ付着部１１６は、設置スペース１１３の底面に限らず、設置スペース１１３の側面や天井に設けられてもよい。
【００８９】  あるいは、ブラシ付着部１１６は、凹部１１４の側面や底面に設けられてもよい。これによって、凹部１１４に落ち込んだ導電体が再び設置スペース１１３に舞い戻ってくる可能性を低減することができ、その結果、所定の収容領域の外へ導電体が移動する可能性をさらに低減することができる。  ［第１３の実施の形態］
【００９０】  本実施の形態においては、第１０〜第１２の実施の形態のイオン発生装置１１００の構成に加えて、図３３に示すように、イオン発生装置１１００のイオン発生ユニット１１０が冷蔵庫１００の本体１０１側に固定されて、イオン発生装置１１００の凹部１１４が冷蔵庫１００の本体１０１に対して振動し易いように、凹部１１４がバネ１１７などを介して本体１０１に取り付けられている。
【００９１】  これによって、たとえば、引き出し１０９などが閉められた際に、引き出し１０９の背面が食品収納空間１０３の壁面にぶつかり、凹部１１４が振動しやすくなる。その結果、凹部１１４の上部に付着する導電体が凹部１１４の底面に落ちやすくなり、凹部１１４に落ち込んだ導電体が再び設置スペース１１３に舞い戻ってくる可能性を低減することができ、その結果、所定の収容領域の外へ導電体が移動する可能性をさらに低減することができる。
【００９２】  逆に、図３４に示すように、イオン発生装置１１００の凹部１１４が冷蔵庫１００の本体１０１側に固定されて、イオン発生装置１１００のイオン発生ユニット１１０が冷蔵庫１００の本体１０１に対して振動し易いように、イオン発生ユニット１１０や設置スペース１１３がバネ１１７などを介して本体１０１に取り付けられてもよい。
【００９３】  これによって、たとえば、引き出し１０９などが閉められた際に、引き出し１０９の背面が食品収納空間１０３の壁面にぶつかり、設置スペース１１３やイオン発生ユニット１１０が振動しやすくなる。その結果、設置スペース１１３やイオン発生ユニット１１０に位置する導電体が凹部１１４に落ちやすくなり、その結果、所定の収容領域の外へ導電体が移動する可能性をさらに低減することができる。
【００９４】  あるいは、図３５に示すように、イオン発生装置１１００の設置スペース１１３とイオン発生ユニット１１０と凹部１１４が冷蔵庫１００の本体１０１に対して振動し易いように、設置スペース１１３および凹部１１４がバネ１１７などを介して本体１０１に取り付けられてもよい。
【００９５】  これによって、たとえば、引き出し１０９などが閉められた際に、引き出し１０９の背面が食品収納空間１０３の壁面にぶつかり、設置スペース１１３やイオン発生ユニット１１０や凹部１１４が振動しやすくなる。その結果、設置スペース１１３やイオン発生ユニット１１０に位置する導電体が凹部１１４に落ちやすくなるし、凹部１１４の上部に位置する導電体も凹部１１４の底面に落ちやすくなり、所定の収容領域の外へ導電体が移動する可能性をさらに低減することができる。  ［第１４の実施の形態］
【００９６】  本実施の形態においては、図３６に示すように、イオン発生装置１１００が、第１１の実施の形態のブラシ通過防止部１１５や第１２の実施の形態のブラシ付着部１１６は有しつつも、凹部１１４が形成されないものである。
【００９７】  これによって、仮に、ブラシ状電極１１２から導電体が抜けても、ブラシ通過防止部１１５やブラシ付着部１１６によって、導電体を留めておくことができる。したがって、万が一、ブラシ状電極１１２から導電体がはずれても、当該導電体が所定の収容領域の外へ移動する可能性を低減することができる。  ［第１５の実施の形態］
【００９８】  なお、第１０の実施の形態のような設置スペース１１３から底面からさらに下方に設けた凹部１１４を形成する代わりに、図３７や図３８に示すような、設置スペース１１３の底面から上方に設けたブラシ通過防止部１１５Ｂを利用してもよい。
【００９９】  換言すれば、第１１の実施の形態のブラシ通過防止部１１５のように、吐き出し口１１３Ｘの全部をカバーする部材の代わりに、吐き出し口１１３Ｘの下部をカバーするブラシ通過防止部１１５Ｂを利用してもよい。
【０１００】  すなわち、凹部１１４に限らず、ブラシ状電極１１２と吐き出し口１１３Ｘとの間に、ブラシ状電極１１２と吐き出し口１１３Ｘの両方よりも低くなるスペースを設ける。これにより、凹部１１４と同様の効果を奏することができる。  ［第１６の実施の形態］
【０１０１】  第１０から第１５の実施の形態においては、イオン発生ユニット１１０やブラシ状電極１１２を水平に配置するものであったが、このような形態には限られない。本実施の形態においては、図３９や図４０に示すように、イオン発生ユニット１１０が設置スペース１１３の下方に、垂直に配置され、ブラシ状電極１１２が上方に向けて配置される。
【０１０２】  より詳細には、たとえば、図３９に示すように、イオン発生ユニット１１０の吐き出し口１１３Ｘ側に凹部１１４Ｂが形成されてもよい。このように、ブラシ状電極１１２と吐き出し口１１３Ｘとの間に、導電体が溜まる凹部１１４Ｂが形成されれば、当該導電体が所定の収容領域の外へ移動する可能性を低減することができる。
【０１０３】  あるいは、図４０に示すように、ブラシ状電極１１２と吐き出し口１１３Ｘとの間にブラシ付着部１１６が設けられてもよい。すなわち、仮にブラシ状電極１１２から導電体が抜けても、ブラシ付着部１１６によって、所定の収容領域の外へ導電体が移動する可能性をさらに低減することができる。
【０１０４】  さらには、図４１に示すように、イオン発生ユニット１１０が設置スペース１１３の上方に、垂直に配置され、ブラシ状電極１１２が下方に向けて配置されてもよい。そして、第１０の実施の形態のように、ブラシ状電極１１２から外れた導電体を凹部１１４に落とす構成を採用してもよいし、第１１の実施の形態のようなブラシ通過防止部１１５や第１２の実施の形態のようなブラシ付着部１１６によって導電体の所定の収容領域の外へ移動を妨げる構成を採用してもよい。  ［第１７の実施の形態］
【０１０５】  ブラシ状電極１１２から外れた導電体が所定の収容領域の外へ移動する可能性を低減するためには、他の構成を採用することもできる。たとえば、図４２に示すように、吐き出し口１１３Ｙを水平よりも上向きにすることによって導電体の所定の収容領域の外へ移動の可能性を低減することができる。
【０１０６】  また、吐き出し口１１３Ｙを金属で構成することによって、吐き出し口１１３Ｙで結露させ、壁面の水分Ｘや壁面から落ちる水分Ｙによって、導電体Ｚを凹部１１４，１１４Ｂに落としたり、凹部１１４，１１４Ｂの底面から導電体Ｚが舞い上がり難くしたり、することによって導電体Ｚの所定の収容領域の外へ移動の可能性を低減してもよい。  ［第１８の実施の形態］
【０１０７】  なお、ブラシ状電極１１２は、水平や垂直上方や垂直下方に向ける構成に限らず、図４３に示すように、斜めに向けて配置されるものであってもよい。  ＜まとめ＞
【０１０８】  上述の実施形態では、第１の収容スペース１０４，１０６，１０７にイオンを供給するための第１のイオン発生ユニット１１０，１１０Ｂと、第１の収容スペース１０４，１０６，１０７の少なくとも底部または底部近傍に配置される第１の導電体１２０と、を備える冷蔵装置１００，２００が提供される。
【０１０９】  好ましくは、第１のイオン発生ユニット１１０，１１０Ｂからのイオンはファンを利用せずに第１の収容スペース１０４，１０６，１０７に供給される。
【０１１０】  好ましくは、冷蔵装置１００，２００は、第１の収容スペース１０４，１０６，１０７内に直接的に冷気が吹き込まず、第１の収容スペース１０４，１０６，１０７を構成するケース１０４Ａ，１０４Ｂを介して間接的に第１の収容スペース１０４，１０６，１０７内が冷やされるように構成されている。
【０１１１】  好ましくは、第１の収容スペース１０４，１０６，１０７の周囲または第１の収容スペース１０４，１０６，１０７とは別に構成される第２の収容スペース１０３が設けられる。冷蔵装置１００，２００は、第２の収容スペース１０３にイオンを供給するための第２のイオン発生ユニット１１０Ｃをさらに備える。第２のイオン発生ユニット１１０Ｃからのイオンはファンを利用して第２の収容スペース１０３に提供される。
【０１１２】  好ましくは、第１の収容スペース１０４，１０６，１０７の上面または上面近傍に配置される第２の導電体１２０Ｂをさらに備える。
【０１１３】  好ましくは、第１の導電体１２０が冷蔵装置１００，２００の他の導電部材と導電接続されていない。
【０１１４】  好ましくは、第１の導電体１２０が第１のイオン発生ユニット１１０，１１０Ｂの２次側に接続される。
【０１１５】  上述の実施形態では、収納空間にイオンを供給するイオン発生装置１１００が提供される。イオン発生装置１１００は、イオンを発生せるためのブラシ状電極１１２を有したイオン発生ユニット１１０と、収納空間へイオンを吐き出すための吐き出し口１１３Ｘ，１１３Ｙと、を備える。ブラシ状電極１１２と吐き出し口１１３Ｘ，１１３Ｙとの間に、下方に向けて凹んだ凹部１１４，１１４Ｂが形成されて、ブラシ状電極１１２から外れた導電体を収容する。
【０１１６】  好ましくは、ブラシ状電極１１２と吐き出し口１１３Ｘ，１１３Ｙとの間に、ブラシ状電極１１２から外れた導電体Ｚを付着させるための付着部１１６が形成される。
【０１１７】  好ましくは、ブラシ状電極１１２と吐き出し口１１３Ｘ，１１３Ｙとの間に、外れた導電体Ｚが所定の収容領域の外へ移動することを妨げる部材１１５を配置する。
【０１１８】  好ましくは、収納空間に引き出し式の収納容器１０９が配置される。収納容器１０９を閉めた際に収納容器１０９の一部が当接することで、凹部１１４，１１４Ｂが振動可能なように構成されている。
【０１１９】  好ましくは、ブラシ状電極１１２は、略水平または略下方に向けて配置される。
【０１２０】  また、上記のイオン発生装置１１００を搭載した冷蔵庫１００が提供される。
【０１２１】  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２２】１        ：放電電極２        ：放電電極３        ：誘導電極４        ：誘導電極５        ：プリント基板５ａ      ：孔５ｂ      ：孔６        ：プリント基板７        ：導電体７ａ      ：接合部８        ：導電体８ａ      ：接合部３０      ：電源回路３１      ：昇圧トランス３１ａ    ：１次巻線３１ｂ    ：２次巻線３２      ：ダイオード３３      ：ダイオード１００    ：冷蔵庫１０１    ：本体１０２    ：扉１０２Ｌ  ：扉１０２Ｒ  ：扉１０３    ：メイン冷蔵スペース（食品収納空間）１０４    ：チルドスペース（チルドケース）１０４Ａ  ：下ケース１０４Ｂ  ：上ケース１０４Ｘ  ：開口部１０４Ｙ  ：下ケース１０４Ｚ  ：下ケース１０５    ：冷凍スペース１０６    ：野菜収容スペース（野菜ケース）１０７    ：果物収容スペース（果物ケース）１０８    ：貯氷エリア１０９    ：引き出し１１００  ：イオン発生装置１１０    ：イオン発生ユニット１１０Ｂ  ：イオン発生ユニット１１０Ｃ  ：イオン発生ユニット１１２    ：ブラシ状電極１１３    ：設置スペース１１３Ｘ  ：吐き出し口１１３Ｙ  ：吐き出し口１１４    ：凹部１１４Ｂ  ：凹部１１５    ：ブラシ通過防止部１１５０  ：スリット１１６    ：ブラシ付着部１１７    ：バネ１１８    ：パッキン１１９    ：コネクタ１２０    ：プレート１２０Ａ  ：プレート１２０Ｂ  ：プレート１２０Ｃ  ：プレート１２０Ｄ  ：プレート１２０Ｘ  ：プレート１２０Ｙ  ：プレート１２０Ｚ  ：プレート１２１    ：網状部材１２２Ａ  ：プレート１２２Ｂ  ：プレート１２３Ａ  ：皿１２３Ｂ  ：皿１２４Ｘ  ：プレート１２４Ｙ  ：プレート１２５    ：プレート１２７    ：網状部材１３１    ：冷気ダクト１３２    ：ファン２００    ：冷蔵室２１０    ：イオン発生装置２５１    ：棚Ｘ，Ｙ    ：水Ｚ        ：導電体（ブラシ）
【図１】
2018109989.tif 000003
【図２】
2018109989.tif 000004
【図３】
2018109989.tif 000005
【図４】
2018109989.tif 000006
【図５】
2018109989.tif 000007
【図６】
2018109989.tif 000008
【図７】
2018109989.tif 000009
【図８】
2018109989.tif 000010
【図９】
2018109989.tif 000011
【図１０】
2018109989.tif 000012
【図１１】
2018109989.tif 000013
【図１２】
2018109989.tif 000014
【図１３】
2018109989.tif 000015
【図１４】
2018109989.tif 000016
【図１５】
2018109989.tif 000017
【図１６】
2018109989.tif 000018
【図１７】
2018109989.tif 000019
【図１８】
2018109989.tif 000020
【図１９】
2018109989.tif 000021
【図２０】
2018109989.tif 000022
【図２１】
2018109989.tif 000023
【図２２】
2018109989.tif 000024
【図２３】
2018109989.tif 000025
【図２４】
2018109989.tif 000026
【図２５】
2018109989.tif 000027
【図２６】
2018109989.tif 000028
【図２７】
2018109989.tif 000029
【図２８】
2018109989.tif 000030
【図２９】
2018109989.tif 000031
【図３０】
2018109989.tif 000032
【図３１】
2018109989.tif 000033
【図３２】
2018109989.tif 000034
【図３３】
2018109989.tif 000035
【図３４】
2018109989.tif 000036
【図３５】
2018109989.tif 000037
【図３６】
2018109989.tif 000038
【図３７】
2018109989.tif 000039
【図３８】
2018109989.tif 000040
【図３９】
2018109989.tif 000041
【図４０】
2018109989.tif 000042
【図４１】
2018109989.tif 000043
【図４２】
2018109989.tif 000044
【図４３】
2018109989.tif 000045
【国際調査報告】
2018109989.tif 000046
2018109989.tif 000047
2018109989.tif 000048
2018109989.tif 000049
2018109989.tif 000050
2018109989.tif 000051
2018109989.tif 000052
2018109989.tif 000053
2018109989.tif 000054